(57)【要約】【課題】  鉄骨製の柱体における建て方の際に、上方柱体の下方柱体に対する水平方向に芯ズレを大掛りな段取りなどを要することなく簡単な操作で修正し得るようにする。【解決手段】  上方柱体Ｐ２に連設のエレクションピースＥ２に先端部１ａが連繋される本体１と、この本体１の基端部１ａに保持されるジャッキ２と、下方柱体Ｐ１に連設のエレクションピースＥ１に下端が当接されながら上端が上方のエレクションピースＥ２に当接される梃体３と、この梃体３に一端側が連繋しながら他端側がジャッキ２に連繋される緊張体４とを有してなり、本体１の先端部１ａがフック状に形成されて上方のエレクションピースＥ２における上端部を把持する状態下に連繋される一方で、梃体３の下端が下方のエレクションピースＥ１に当接されると共に、梃体３の上端が上方のエレクションピースＥ２に当接されてなり、ジャッキ２の伸長作動時に梃体３が下方のエレクションピースＥ１に当接された下端を支点にして上端側の揺動を許容してなる。【選択図】        図１
2006241732.tif 000002
【特許請求の範囲】
【請求項１】
上方柱体に連設の縦板状に形成のエレクションピースに先端部が連繋される本体と、この本体における先端部の背面側となる基端部に直接あるいは繋ぎ部材を介して保持されるジャッキと、下方柱体に連設の縦板状に形成のエレクションピースに下端が当接されながら上端が上方柱体に連設のエレクションピースに当接される梃体と、この梃体に一端側が連繋しながら中間部が本体の基端部を水平方向に貫通し他端側がジャッキに連繋される緊張体とを有してなり、本体における先端部がフック状に形成されて上方柱体に連設のエレクションピースにおける上端部をこのエレクションピースの板厚方向から把持する状態に連繋される一方で、梃体の下端が下方柱体に連設のエレクションピースにこのエレクションピースの板厚方向であって上記の本体に対向する方向から当接されると共に、梃体の上端が上方柱体に連設のエレクションピースにこの梃体における下端と同方向に当接され、緊張体の一端側が梃体の上下端をそれぞれの相応するエレクションピースに当接させた状態下にこの緊張体の軸線方向に梃体を貫通して連繋されると共に、緊張体の他端側がジャッキの軸芯部をこのジャッキの作動方向に貫通した状態下に連繋されてなり、ジャッキの伸長作動時に梃体が下方柱体に連設のエレクションピースに当接される下端を支点にして上端側の揺動を許容して本体の水平移動を可能にしてなることを特徴とする芯ズレ修正装置
【請求項２】
本体の先端部に上方柱体に連設のエレクションピースの上端部を固定状態に把持する把持手段を有してなる請求項１に記載の芯ズレ修正装置
【請求項３】
ジャッキが油圧ジャッキからなる請求項１に記載の芯ズレ修正装置
【請求項４】
梃体が緊張体の一端側を貫通させる透孔を有してなると共に、この透孔が上下端間における中間部あるいは中間部から偏芯した部位に形成されてなる請求項１に記載の芯ズレ修正装置
【請求項５】
緊張体が梃体に開穿の透孔，本体における基端部に開穿の透孔およびジャッキの軸芯部を貫通する軸体と、この軸体の一端部および他端部に形成の螺条部に螺合するナットとからなる請求項１に記載の芯ズレ修正装置
【発明の詳細な説明】
【技術分野】
【０００１】
この発明は、鉄骨製の柱体を建込む際に上下の柱体における水平方向の芯ズレを修正する芯ズレ修正装置の改良に関する。
【背景技術】
【０００２】
一般に、構築物を構成する柱体は、その立設の際に、すなわち、建て方の際に垂直状態にされると共に、上下となる柱体の間における水平方向の芯ズレも修正されるとしている。
【０００３】
このとき、柱体が重量の嵩む鉄骨製とされる場合には、いわゆる人力では芯ズレを修正し得ないから、この芯ズレの修正を可能にする装置類の提案が、たとえば、特許文献１および特許文献２に開示されている。
【０００４】
すなわち、特許文献１に開示の提案にあっては、本体たる板体の下端側にいわゆる固定用のボルトを有すると共に、板体の上端側にいわゆる芯ズレ修正用のボルトを有するとしている。
【０００５】
それゆえ、この特許文献１に開示の提案にあっては、本体たる板体を下方柱体に連設の縦板状に形成のエレクションピースに固定用のボルトの利用下に固着させた状態で、板体の上端側にある芯ズレ修正用のボルトを回動操作してこのボルトの突出量を選択することで、上下のエレクションピース、すなわち、上下の柱体間における水平方向の芯ズレを修正することが可能になる。
【０００６】
一方、特許文献２に開示の提案にあっては、本体たる板体の上端部を上方柱体に連設の同じく縦板状に形成のエレクションピースに上端を引掛ける状態に連繋させる一方で、板体の下端部に開穿されている孔を挿通するボルト状の連結棒が油圧ジャッキに連繋されながら下方柱体に連設のエレクションピースに開穿された孔を挿通した状態でこの下方のエレクションピースに連繋するとしている。
【０００７】
それゆえ、この特許文献２に開示の提案にあっては、本体を上方のエレクションピースに引掛ける状態に連繋させた状態で、油圧ジャッキを伸長作動させることで、本体の下端部が下方のエレクションピースに近づくように移動して上下のエレクションピース、すなわち、上下の柱体間における水平方向の芯ズレを修正することが可能になる。
【特許文献１】特開２００２−１９４８９７号公報（特許請求の範囲  請求項１，段落００１７，図１）
【特許文献２】特開２００３−８２８６０号公報（特許請求の範囲  請求項１，請求項３，請求項４，請求項５，図１，図５）
【発明の開示】
【発明が解決しようとする課題】
【０００８】
しかしながら、上記した特許文献１および特許文献２のいずれに開示されている提案にあっても、所定の芯ズレを修正するについて、その構成からして、いわゆる作業性に劣ると指摘される可能性がある。
【０００９】
すなわち、まず、特許文献１に開示の提案にあっては、上下の柱体における水平方向の芯ズレを修正しようとする場合には、一方のボルトを回動操作して、本体を下方のエレクションピースの上端側に固着させる作業が必須になる。
【００１０】
そして、つぎには、言わば下方柱体に定着された本体の上端側にある芯ズレ修正用のもう一方のボルトを回動操作して、本体の端部からボルトの先端を突出させるようにする作業が必須になる。
【００１１】
その結果、上記の特許文献１に開示の提案にあっては、二本のボルトを回動操作することが必須になり、その分、作業が面倒になると指摘される一方で、芯ズレ修正用のもう一方のボルトをいわゆる人手で回動するのが容易でなく、作業者にいたずらに負担を課する不具合がある。
【００１２】
一方、特許文献２に開示の提案にあっては、長いボルト状の連結棒が下方のエレクションピースに開穿されている孔を挿通することを必須とされ、しかも、このとき、この連結棒には油圧ジャッキが連繋された状態にある。
【００１３】
その結果、上記の特許文献２に開示の提案にあっては、ボルトあるいはナットの回動操作は、いわゆる一度で足りるから、特許文献１に開示の提案より有利となり、また、油圧ジャッキを利用するから、作業者にいたずらに負担を課さないことになるが、いわゆる前作業として、ジャッキに連繋した状態の長いボルト状の連結棒を下方のエレクションピースに開穿されている孔に挿通する作業が必須になり、作業性が悪くなる危惧がある。
【００１４】
この発明は、上記した事情を鑑みて創案されたものであって、その目的とするところは、鉄骨製の柱体における建て方の際に、上方柱体の下方柱体に対する水平方向に芯ズレを簡単な操作で修正可能にして、その汎用性の向上を期待するのに最適となる芯ズレ修正装置を提供することである。
【課題を解決するための手段】
【００１５】
上記した目的を達成するために、この発明における芯ズレ修正装置の構成を、基本的には、請求項１にあって、上方柱体に連設の縦板状に形成のエレクションピースに先端部が連繋される本体と、この本体における先端部の背面側となる基端部に直接あるいは繋ぎ部材を介して保持されるジャッキと、下方柱体に連設の縦板状に形成のエレクションピースに下端が当接されながら上端が上方柱体に連設のエレクションピースに当接される梃体と、この梃体に一端側が連繋しながら中間部が本体の基端部を水平方向に貫通し他端側がジャッキに連繋される緊張体とを有してなり、本体における先端部がフック状に形成されて上方柱体に連設のエレクションピースにおける上端部をこのエレクションピースの板厚方向から把持する状態に連繋される一方で、梃体の下端が下方柱体に連設のエレクションピースにこのエレクションピースの板厚方向であって上記の本体に対向する方向から当接されてなると共に、梃体の上端が上方柱体に連設のエレクションピースにこの梃体における下端と同方向から当接され、緊張体の一端側が梃体の上下端をそれぞれの相応するエレクションピースに当接させた状態下にこの緊張体の軸線方向に梃体を貫通して連繋されると共に、緊張体の他端側がジャッキの軸芯部をこのジャッキの作動方向に貫通した状態下に連繋されてなり、ジャッキの伸長作動時に梃体が下方柱体に連設のエレクションピースに当接される下端を支点にして上端側の揺動を許容して本体の水平移動を可能にしてなるとする。
【発明の効果】
【００１６】
それゆえ、請求項１の発明にあっては、緊張体の一端側が梃対に連繋し緊張体の他端側がジャッキに連繋するから、この緊張対が定尺化されると共に、この緊張体が定尺化された状態下にジャッキが伸長作動されると、傾斜している状態にある梃体が下方柱体に連設のエレクションピースに当接される下端を支点にして上端側を揺動させて起立し、このとき、固定側となる下方柱体に対して上方柱体が移動可能とされているから、ジャッキを保持する本体が上方柱体に連設のエレクションピースに連繋された状態で水平移動することになり、したがって、上方のエレクションピースが下方のエレクションピースに照準される、すなわち、上方柱体と下方柱体との間における芯ズレが修正されることになる。
【００１７】
その結果、この発明によれば、鉄骨製の柱体における建て方の際に、上方柱体の下方柱体に対する水平方向に芯ズレを簡単な操作で修正可能にして、その汎用性の向上を期待するのに最適となる。
【発明を実施するための最良の形態】
【００１８】
以下に、図示した実施形態に基づいて、この発明を説明するが、図１に示すように、この発明による芯ズレ修正装置は、原理的には、下方柱体Ｐ１の上端部と、この下方柱体Ｐ１に上方から継がれる上方柱体Ｐ２の下端部とに連繋されて上方柱体Ｐ２の下方柱体Ｐ１に対する芯ズレ、すなわち、水平方向の位置ズレを修正する。
【００１９】
このとき、下方柱体Ｐ１および上方柱体Ｐ２は、多くの場合に、上下方向に延びる軸芯を横切る方向の断面が、たとえば、図２中および図３中に実線図で示すように、Ｈ形となる型鋼や、あるいは、同じく断面が、図２中および図３中に仮想線図で示すように、矩形となる型鋼からなるとしている。
【００２０】
そして、下方柱体Ｐ１の上端部および上方柱体Ｐ２の下端部における対向するいわゆる二方（図２および図３中の実線図参照）あるいはいわゆる四方（図２および図３中の仮想線図参照）には、それぞれ鋼材で一枚の縦板状に形成のエレクションピースＥ１，Ｅ２が溶接などで一体に連設されてなるとしている。
【００２１】
それゆえ、この芯ズレ修正装置は、具体的には、上記のエレクションピースＥ１，Ｅ２に連繋されることで、下方柱体Ｐ１の上端部と上方柱体Ｐ２の下端部とに連繋されることになる（図１参照）。
【００２２】
ちなみに、エレクションピースＥ１，Ｅ２は、各柱体Ｐ１，Ｐ２におけるいわゆる平坦面に対して垂直になるように、また、このとき、軸線方向が各柱体Ｐ１，Ｐ２における軸線方向に沿う状態に、すなわち、いわゆる縦に配在されてなるとしている。
【００２３】
なお、エレクションピースＥ１，Ｅ２は、図示しないが、建入れ調整装置を利用するときにも利用され、また、このエレクションピースＥ１，Ｅ２は、爾後に溶接などで下方柱体Ｐ１と上方柱体Ｐ２との一体性が保障される工法の場合には撤去されることもある。
【００２４】
ところで、この芯ズレ修正装置は、本体１と、ジャッキ２と、梃体３と、緊張体４とを有してなり、ジャッキ２の伸長作動時に緊張体４を介して梃体３が上端側を揺動させて、図１中に矢印ａで示す方向に、本体１の水平移動を可能にし、この本体１が連繋する上方柱体Ｐ２に連設のエレクションピースＥ２を下方柱体Ｐ１に連設のエレクションピースＥ１に照準させる、すなわち、上方柱体Ｐ２と下方柱体Ｐ１との間における芯ズレを修正するように構成されている。
【００２５】
以下に説明すると、まず、本体１は、図１に示するところでは、繋ぎ部材５を介してジャッキ２を保持させ、また、緊張体４を貫通させることから、適宜の適宜に肉厚を有して所定の機械的強度を有するように、たとえば、鋼材で形成されるとし、上方柱体Ｐ２に連設のエレクションピースＥ２に先端部１ａが連繋されるとしている。
【００２６】
このとき、図１中で左側上端部となる本体１における先端部１ａは、フック状に、すなわち、上方のエレクションピースＥ２の上端部を内側に臨在させる下向きの角Ｕ字状に形成されていて、エレクションピースＥ２における上端部をこのエレクションピースＥ２の板厚方向から、すなわち、図１中で左右方向から把持する状態に連繋されるとしている。
【００２７】
そして、この本体１は、上記の先端部１ａから垂下されて、上方のエレクションピースＥ２の下端側に端面を当接させる図１中で右側部となる基端部１ｂを有してなり、さらには、この基端部１ｂに後述する緊張体４を貫通させる透孔１ｃを有してなるとしている。
【００２８】
このとき、図１に示すところにあっては、先端部１ａを上方のエレクションピースＥ２の上端部に連繋させながら基端部１ｂの端面を対向する上方のエレクションピースＥ２の下端側に当接させた状態に垂下させるときに、この基端部１ｂに開穿の透孔１ｃがいわゆる水平状態に維持され、それゆえ、この本体１に緊張体４を貫通させる操作を容易にし得るように配慮している。
【００２９】
一方、この本体１における上記した先端部１ａは、図１に示すところでは、その螺合操作時に上方のエレクションピースＥ２の上端部を固定状態に把持するボルトからなる把持手段６を有してなるとしている。
【００３０】
ちなみに、この把持手段６は、結果として、フック状に形成された先端部１ａ内にエレクションピースＥ２の上端部を位置決めた状態を維持できる構成であれば足り、たとえば、ピンが利用されるとしても良いが、その位置決めした状態を固定化できるのが好ましく、その観点からすれば、上記のボルトの螺合は、位置決めと固定化を簡単に実現できる利点がある。
【００３１】
ところで、上記の繋ぎ部材５は、上記した本体１における基端部１ｂに開穿の透孔１ｃに照準される透孔５ａを有していて、本体１と同様に、緊張体４の貫通を許容している。
【００３２】
ちなみに、この繋ぎ部材５を設ける趣旨は、本体１における基端部１ｂを上方柱体Ｐ２の幅方向に、すなわち、水平方向となる図１中の左右方向に延長させるためであり、この延長によって、後述するジャッキ２が上方柱体Ｐ２や下方柱体Ｐ１に干渉することを阻止し得ることになる。
【００３３】
それゆえ、このジャッキ２の干渉を阻止する観点からすれば、本体１における基端部１ｂの長さが干渉阻止に充分な長さを有するように形成されれば足り、したがって、上記の繋ぎ部材５の配設が、図４に示すように、省略されるとしても良いことはもちろんである。
【００３４】
ちなみに、この図４に示すところにおいて、その構成が図１に示すところと同様となる構成については、図４中に同一の符号を付するのみとし、要する場合を除き、その説明を省略する。
【００３５】
ジャッキ２は、前記した本体１における先端部１ａの背後側となる基端部１ｂに、この図１に示すところでは、繋ぎ部材５を介して保持されるとしているもので、油圧利用のジャッキ、すなわち、油圧ジャッキからなるとしている。
【００３６】
そして、このジャッキ２は、外部に配在されてこのジャッキ２に接続されるハンドポンプなどを有する油圧給排源Ｐからの油圧作用で伸長するように設定されてなるとし、図示する実施形態では、伸長作動時にこのジャッキ２をいわゆる固定側にするようにして本体１を前方に、すなわち、前記した図１中に矢印ａで示す方向に押し進めるように機能するとしている。
【００３７】
以上からすれば、このジャッキ２は、上記した油圧ジャッキからなるのに代えて、図示しないが、ネジジャッキからなり、しかも、作業者によるハンドル操作で伸長されるとしても良い。
【００３８】
ちなみに、ジャッキ２が作業者によるハンドル操作で伸長するネジジャッキからなる場合には、このジャッキ２が油圧ジャッキからなる場合に比較して、この芯ズレ修正装置におけるいたずらな嵩張りを回避できると共にこの芯ズレ修正装置を搬送する際の搬送性を向上させ易くなる点で有利となる。
【００３９】
また、この芯ズレ修正装置で実際に位置ズレを修正するについては、５ｍｍ，１０ｍｍと大きいストロークを移動させることはなく、約３ｍｍ以下と小さいストロークの移動でこと足りる。
【００４０】
このことからすれば、この芯ズレ修正装置におけるジャッキ２が油圧ジャッキでなく、ネジジャッキとされ、しかも、作業者による伸長作業でこと足りるとしても、この芯ズレ修正装置について充分な利用価値があることになる。
【００４１】
もっとも、このジャッキ２が油圧ジャッキからなる場合でも、爾後の、たとえば、不使用時の収納に際しては、油圧を利用することなく、人力で収縮できるように設定することで、このジャッキ２におけるコストのいたずらな上昇を回避できることになる。
【００４２】
梃体３は、図１上でする正面視でいわゆる立てた状態のブリッジ状に形成されてなるとするもので、下端が下方のエレクションピースＥ１に当接されながら、すなわち、下方のエレクションピースＥ２にこのエレクションピースＥ２の板厚方向であって前記した本体１の基端部１ｂに対向する方向から当接されるとしている。
【００４３】
そして、この梃体３にあっては、上端が上方のエレクションピースＥ２に当接される、すなわち、上方のエレクションピースにＥ２このエレクションピースＥ２の板厚方向であって上記の本体１における先端部１ａ近傍に対向する方向から、すなわち、上記の下端と同方向に当接されるとしている。
【００４４】
このとき、この梃体３は、前記した本体１における基端部１ｂに開穿の透孔１ｃに照準されて、後述する緊張体４を貫通させる透孔３ａを有してなるとしている。
【００４５】
そして、この梃体３にあって、透孔３ａは、図５にも示すように、梃体３における上下端間における中間部に形成され、あるいは、中間部から偏芯した部位に形成されてなるとしている。
【００４６】
すなわち、具体的な一例では、図５中に符号Ｈで示すように、梃体３にあって、上下端間の中間部に、すなわち、上下端間の１／２の位置に透孔３ａが開穿されてなるとし、他の一例では、図５中に符号Ｈ１で示すように、上下端間の中間部から偏芯した位置に、すなわち、上下端間の１／４の位置に透孔３ａが開穿されてなるとする。
【００４７】
ちなみに、図１に示す梃体３にあっては、透孔３ａが上下端間の１／４の位置に開穿されているが、この透孔３ａが機能するところからすれば、上下端間の１／２の位置にも透孔３ａが開穿されているとしても良く、むしろ、この方がいわゆる一つの透孔３ａを有する場合に比較して利便性が増すことになるのはもちろんである。
【００４８】
ところで、緊張体４は、図１中で左側となる一端側が上記した梃体３に開穿の透孔３ａを貫通しながらこの梃体３に連繋し、中間部が本体１の基端部１ｂに開穿の透孔１ｃおよび繋ぎ部材５に開穿の透孔５ａを貫通し、図１中で右側となる他端側がジャッキ２の軸芯部を貫通した状態でこのジャッキ２に連繋してなるとしている。
【００４９】
このとき、図示するところでは、緊張体４は、上記の透孔３ａ，１ｃ，５ａおよびジャッキ２の軸芯部を貫通する軸体４１と、この軸体４１の一端部および他端部に形成の螺条部４１ａに螺合するナット４２とからなるとしており、ナット４２の螺合で軸体４１の、すなわち、緊張体４の梃体３部分からの抜け、および、ジャッキ２部分からの抜けを阻止するとしている。
【００５０】
また、このとき、この発明にあって、梃体３に当接されるナット４２の先端たる圧接端４２ａは、球面構造に形成されていて、環座４３を介してであるが、梃体３にナット４２（図５参照）の先端が圧接されるときに、いわゆる角当りすることで梃体３との間でカジリ現象が発現されることにならないように配慮している。
【００５１】
以上からすると、梃体３と緊張体４との連繋状態を看ると、第一に、梃体３における透孔３ａに対して緊張体４を形成する軸体４１がいわゆるガタを有して連繋されていることで、梃体３に緊張体４が固定状態に連結されている場合に比較して、固定されていない分、いわゆるセット時における取り扱い易さがあると言い得る。
【００５２】
また、第二に、緊張体４に梃体３を分離可能に連繋すると共に、梃体３が中間部と中間部から偏芯した部位とに透孔３ａを有することで、いわゆる支点位置を複数に設定できる、すなわち、支点位置を選択できることになる。
【００５３】
そして、第三に、梃体３と緊張体４とが分離可能とされているから、部品製作が容易になると共に、部品交換を容易にすることになり、特に、図１の実施形態の場合と図４に示す実施形態の場合とでは、緊張体４が長さの異なる二種類となるが、梃体３については、同じものを利用できる点で有利となる。
【００５４】
以上のように形成された芯ズレ修正装置を利用して、実際に芯ズレを修正する場合には、以下のような手順によることになるが、このとき、前記した図２中に矢印ｂで示すように、上方柱体Ｐ２を下方柱体Ｐ１に対して一方向に移動させる場合と、前記した図３中に矢印ｃで示すように、上方柱体Ｐ２を下方柱体Ｐ１に対して回転させるようにする場合がある。
【００５５】
いずれにしても、図１（あるいは図４）に示すいわゆる立面状態では、この発明の芯ズレ修正装置にあっては、同図中に矢印ａで示すように、ジャッキ２の伸長で上方柱体Ｐ２を左行させる、すなわち、いわゆる押し進めるようにすることが基本となるので、以下には、この前提で説明する。
【００５６】
まず、本体１の先端部１ａを上方柱体Ｐ２に連設のエレクションピースＥ２の上端部に引掛けるようにして、本体１の基端部１ｂを垂下させるようにする。
【００５７】
このとき、先端部１ａにボルトからなる把持手段６を有してなる場合には、ボルトの螺入操作で先端部１ａにエレクションピースＥ２の上端部を固定状態に把持するようにするのが好ましい。
【００５８】
そして、本体１の基端部１ｂが垂下されるとき、この基端部１ｂがエレクションピースＥ２における図中で右端面となる言わば背面に当接され、これによってジャッキ２からの力がエレクションピースＥ２に作用することになる。
【００５９】
つぎに、繋ぎ部材５を介在下に本体１にジャッキ２を保持させることになるが、このとき、あらかじめジャッキ２を保持させた状態で本体１をエレクションピースＥ２に連繋するとしても良いことはもちろんであり、多くの場合に、そうするであろう。
【００６０】
ちなみに、ジャッキ２があらかじめ本体１に保持されている状態では、多くの場合に、ジャッキ２に油圧給排源Ｐが接続されていない方がいわゆるセット時の作業が容易になるであろうが、場合によっては、油圧給排源Ｐがあらかじめ接続されているとしても良いことはもちろんである。
【００６１】
さらに、緊張体４を梃体３，本体１およびジャッキ２などに貫通させることになるが、このとき、言わば作業をし易い方から軸体４１を貫通させるのが常態であり、また、その際に、軸体４１の一方端部にはナット２を螺合させておくのが好ましい。
【００６２】
そして、ジャッキ２側から軸体４１を貫通させる場合には、本体１の透孔１ｃを貫通した部位に梃体３を貫通させるようにし、爾後に、ナット４２を螺合することになるが、軸体４２を梃体３側から貫通させるようにする場合には、この軸体４２をあらかじめ梃体３に貫通させておくのが好ましい。
【００６３】
そして、梃体３の上下端をエレクションピースＥ２，Ｅ１の言わば正面に当接させた状態でナット４２を締め付けることで、いわゆるセットを終了するが、この芯ズレ修正装置にあっては、本体１をエレクションピースＥ２に連繋するとき、あるいは、緊張体４を本体１などに貫通させるときのいずれにあっても、前記した特許文献２に開示の提案のようにエレクションピースＥ２，Ｅ１に開穿の孔に挿通などしないから、言わば簡単な操作で、この芯ズレ修正装置を所定位置に配置し、あるいは、所定位置から撤去する作業が容易になる。
【００６４】
特に、本体１の先端部１ａに装備の把持手段６を構成するボルトを緩めた状態に維持すると共に、緊張体４を構成する軸体４１に螺合されるナット４２をいわゆる緩めた状態に維持する場合には、この芯ズレ修正装置をいわゆる分解することなく組み上げた状態のまま、図２中に仮想線図で示すように、本体１をエレクションピースＥ２に対して押し込むようにして連繋させることで、図２中には示さないが、梃体３を上下のエレクションピースＥ２，Ｅ１に当接させることを含めて、この芯ズレ修正装置を所定位置に配置する作業が、さらには、爾後にする所定位置からの撤去作業が一層容易になる。
【００６５】
のみならず、この芯ズレ修正装置を所定位置に配置するときに、本体１を上方柱体Ｐ２のいわゆる側面に接触させるように位置決める場合には、後述するようにジャッキ２を伸長作動してその際の力をエレクションピースＥ２に作用するときに、エレクションピースＥ２のいわゆる根元にその力を作用することが可能になり、それゆえ、エレクションピースＥ２の根元から離れたいわゆる先端側に上記の力を作用する場合に比較して、エレクションピースＥ２にいたずらな変形を招来させずして、ジャッキ２に力の無駄遣いをさせないようにすることが容易に可能になる。
【００６６】
そして、それ以前に、この発明にあっては、エレクションピースＥ２，Ｅ１に孔を形成する必要がないから、エレクションピースＥ２，Ｅ１の強度を低下させる不具合を危惧しなくて済むことになる。
【００６７】
以上からすれば、この発明にあっては、エレクションピースＥ２，Ｅ１の強度をいたずらに大きくしないで済み、したがって、言わば仮設材になることがあるエレクションピースＥ２，Ｅ１を必要最小限度の大きさに形成することが可能になり、構築物における全体コストの低減に寄与することになる。
【００６８】
以上のようにしていわゆるセットされた、すなわち、たとえば、図１中に実線図で示す状態にセットされた芯ズレ修正装置にあっては、この状態からジャッキ２を伸長作動すると、このジャッキ２が固定されているとすれば、繋ぎ部材５を介してであるが、本体１が上方柱体Ｐ２に連設のエレクションピースＥ２を図中で左行させるように押し出すようになり、上方のエレクションピースＥ２が下方のエレクションピースＥ１に照準されることになる。
【００６９】
しかしながら、ジャッキ２は、実際には固定されている訳ではなく、このジャッキ２の軸芯部を貫通する緊張体４が梃体３の下端を介して下方のエレクションピースＥ１にいわゆる係止されていて、見掛け上であるが、ジャッキ２のいわゆる後退が阻止されるとしている。
【００７０】
のみならず、この下方のエレクションピースＥ１に梃体３および緊張体４を介していわゆる係止されているジャッキ２が伸長作動されると、緊張体４が定尺化されているから、梃体３は、下端を下方のエレクションピースＥ１に押し付けるようになり、それゆえ、図中に実線図で示す傾斜状態から図中に仮想線図で示す直立状態になり、この直立で上方のエレクションピースＥ２が、すなわち、本体１が押し進められるように水平移動し、下方のエレクションピースＥ１に照準されて芯ズレが修正されることになる。
【００７１】
上記したところは、いわゆる力関係を無視した各部材の動きからする作動の状態であるが、これに対して、ジャッキの伸長作動時の力関係を説明すると以下のようになる。
【００７２】
すなわち、梃体３に開穿されている透孔３ａは、図１に示す状態では、上下端の中間部から偏芯した部位、すなわち、上下端間の１／４の位置に開穿されていて、この透孔３ａを緊張体４が貫通するとしている。
【００７３】
この状態から、ジャッキ２を伸長作動して、上方のエレクションピースＥ２を１ｍｍ水平移動させる、すなわち、図１中で左行させる場合には、梃体３における透孔３ａ部分では、ここを貫通する緊張体４が同方向に１／４ｍｍ水平移動することになる。
【００７４】
このことは、ジャッキ２が（１−１／４）ｍｍ＝３／４ｍｍ伸長作動すればエレクションピースＥ２が１ｍｍ移動することを意味し、したがって、ジャッキ２が梃体３などを利用することなく直接エレクションピースＥ２を１ｍｍ水平移動させる場合に比較して、ジャッキ２の伸長作動させる際の操作量を削減できることになる。
【００７５】
前記したところは、この発明による芯ズレ修正装置が上下となる柱間における水平方向の芯ズレを修正する場合に利用されるものとして説明したが、この芯ズレ修正装置の構成からすれば、これが水平方向に架設される左右の梁材間などにおける上下方向の芯ズレを修正するものとして利用されるとしても良く、その場合における作用効果も異ならないこともちろんである。
【図面の簡単な説明】
【００７６】
【図１】この発明の一実施形態による芯ズレ修正装置を上方柱体の下端部と下方柱体の上端部とに連繋した状態を正面視から示す立面図である。
【図２】この発明による芯ズレ修正装置が利用される一つのパターンを平面視から示す横断面図である。
【図３】この発明による芯ズレ修正装置が利用される他のパターンを図２と同様に示す図である。
【図４】他の実施形態による芯ズレ修正装置を図１と同様に示す図である。
【図５】この発明による芯ズレ修正装置を分解した状態を正面視から部分拡大立面図である。
【符号の説明】
【００７７】
１  本体
１ａ  先端部
１ｂ  基端部
２  ジャッキ
３  梃体
３ａ  透孔
４  緊張体
５  繋ぎ部材
６  把持手段
４１  軸体
４１ａ  螺条部
４２  ナット
Ｅ１，Ｅ２  エレクションピース
Ｐ１  下方柱体
Ｐ２  上方柱体
【図１】
2006241732.tif 000003
【図２】
2006241732.tif 000004
【図３】
2006241732.tif 000005
【図４】
2006241732.tif 000006
【図５】
2006241732.tif 000007